(57)【要約】【課題】固定部材の一に異常が発生しても基部を井戸ケーシングに固定することが可能なシングルジェット及びポンプ装置を提供することを提供すること。【解決手段】ポンプ装置１は、ポンプ部５と、ポンプ部５に設けられた吸込管６と、その内部に雌ねじ部２１ａが形成され、井戸ケーシング１００に挿入される本体部２１、及び、本体部２１が井戸ケーシング１００に挿入されたとき、井戸ケーシング１００と接触して弾性変形する、本体部２１の外周面に異なる二つの間隔で順次配置された４つの固定部材２２を具備する基部１１と、ねじ部２１ａと螺合可能な被ねじ部１２ａがその先端に形成された、吸込管６に接続されたジェット部１２と、を備える構成とする。【選択図】図１
2015068322.tif 000002
【特許請求の範囲】
【請求項１】
ねじ部が形成され、井戸ケーシングに挿入される本体部、及び、前記本体部が前記井戸ケーシングに挿入されたとき、前記井戸ケーシングと接触して弾性変形する、前記本体部の外周面に異なる二つの間隔で順次配置された４つの固定部材を具備する基部と、
前記ねじ部と螺合可能な被ねじ部が形成されたジェット部と、
を備えることを特徴とするシングルジェット。
【請求項２】
前記固定部材は、６０度及び１２０度の間隔で順次配置されることを特徴とする請求項１に記載のシングルジェット。
【請求項３】
前記固定部材は、板状に形成するとともに、その一部が曲折することで突出することを特徴とする請求項１に記載のシングルジェット。
【請求項４】
前記本体部及び前記ジェット部間に支持されて介在する、弾性変形可能な樹脂材料で形成された水封部をさらに備え、
前記ジェット部は、前記井戸ケーシングに前記基部が挿入された状態で回転されることで、前記基部に対して進退することを特徴とする請求項１に記載のシングルジェット。
【請求項５】
ポンプ部と、
前記ポンプ部に設けられた吸込管と、
ねじ部が形成され、井戸ケーシングに挿入される本体部、及び、前記本体部が前記井戸ケーシングに挿入されたとき、前記井戸ケーシングと接触して弾性変形する、前記本体部の外周面に異なる二つの間隔で順次配置された４つの固定部材を具備する基部と、
前記ねじ部と螺合可能な被ねじ部が形成された、前記吸込管に接続されたジェット部と、
を備えることを特徴とするポンプ装置。
【請求項６】
前記固定部材は、６０度及び１２０度の間隔で順次配置されることを特徴とする請求項５に記載のポンプ装置。
【請求項７】
前記固定部材は、板状に形成するとともに、その一部が曲折することで突出することを特徴とする請求項５に記載のポンプ装置。
【請求項８】
前記本体部及び前記ジェット部間に支持されて介在する、弾性変形可能な樹脂材料で形成された水封部をさらに備え、
前記ジェット部は、前記井戸ケーシングに前記基部が挿入された状態で回転されることで、前記基部に対して進退することを特徴とする請求項５に記載のポンプ装置。
【発明の詳細な説明】
【技術分野】
【０００１】
本発明は、井戸に用いられるシングルジェット及びポンプ装置ケーシングに関する。
【背景技術】
【０００２】
現在、深井戸等の井戸に用いられるポンプ装置として、井戸ケーシングにシングルジェットを配置する技術が知られている（例えば、特許文献１及び特許文献２参照）。このようなポンプ装置は、基部と、基部に対して回転可能なジェット部と、基部及びジェット部間に設けられた水封部と、を備えている。
【０００３】
基部は、その外周面に等間隔に複数配置された、所謂スプリングドック等と呼ばれる、一部曲折してなる板発条状の弾性部材によって構成される固定部材を備え、井戸ケーシングに嵌入可能に形成される。ジェット部は、基部に螺合可能に形成され、基部に対して近接する方向に移動することで、水封部を圧縮可能に形成されている。水封部は、圧縮されることで、井戸ケーシングと密着し、井戸ケーシング内を密封可能に形成されている。
【０００４】
このようなシングルジェットは、井戸ケーシング内の所定の位置に挿入された後、ジェット部を基部に対して回転させることで、シングルジェットが水封部を圧縮し、水封部が井戸ケーシングに密着される。シングルジェットは、基部の井戸ケーシングへの嵌入及び水封部の圧縮により固定部材及び水封部が井戸ケーシングに接触し、これら固定部材及び水封部の弾性力によって、井戸ケーシングに固定して配置される。
【先行技術文献】
【特許文献】
【０００５】
【特許文献１】実開昭６１−０７３１００号公報
【特許文献２】特開平０４−１９４３８１号公報
【発明の概要】
【発明が解決しようとする課題】
【０００６】
上述したシングルジェットでは、以下の問題があった。即ち、上述したシングルジェットは、井戸ケーシングに固定する場合及び井戸ケーシングから取り外す場合に、ジェット部を基部に対して回転させることで、基部に対して進退可能に形成されている。
【０００７】
しかし、基部の固定部材に変形や弾性率の低下等の異常が発生すると、基部を井戸ケーシングに固定する機能が低下し、基部が井戸ケーシングに対して回転可能となる虞がある。基部が井戸ケーシングに対して回転可能となると、ジェット部の回転に伴って基部が回転し、結果、シングルジェットの据え付け時においては、シングルジェットを井戸ケーシングに固定することが出来なくなる虞がある。このような場合には、井戸ケーシングからシングルジェットを取り外して、固定部材を交換する作業が必要となり、施工工程及び時間が増大する、という問題がある。
【０００８】
また、基部ジェット部の回転に伴って回転すると、据え付けたシングルジェットを井戸ケーシングから取り外すときには、水封部の圧縮を解除することができなくなり、結果、シングルジェットを井戸ケーシングから取り外すことが出来なくなる虞がある。このような場合においては、井戸ケーシングから強制的にシングルジェットを引き抜くか、又は、井戸ケーシングごと引き抜く必要があり、井戸ケーシングの損傷や井戸ケーシングのさらなる敷設が必要となる。
【０００９】
そこで本発明は、固定部材の一に異常が発生しても基部を井戸ケーシングに固定することが可能なシングルジェット及びポンプ装置を提供することを目的としている。
【課題を解決するための手段】
【００１０】
前記課題を解決し目的を達成するために、本発明のシングルジェット及びポンプ装置は、次のように構成されている。
【００１１】
本発明の一態様として、シングルジェットは、ねじ部が形成され、井戸ケーシングに挿入される本体部、及び、前記本体部が前記井戸ケーシングに挿入されたとき、前記井戸ケーシングと接触して弾性変形する、前記本体部の外周面に異なる二つの間隔で順次配置された４つの固定部材を具備する基部と、前記ねじ部と螺合可能な被ねじ部がその先端に形成されたジェット部と、を備える。
【００１２】
本発明の一態様として、ポンプ部と、前記ポンプ部に設けられた吸込管と、ねじ部が形成され、井戸ケーシングに挿入される本体部、及び、前記本体部が前記井戸ケーシングに挿入されたとき、前記井戸ケーシングと接触して弾性変形する、前記本体部の外周面に異なる二つの間隔で順次配置された４つの固定部材を具備する基部と、前記ねじ部と螺合可能な被ねじ部がその先端に形成された、前記吸込管に接続されたジェット部と、を備える。
【発明の効果】
【００１３】
本発明によれば、固定部材の一に異常が発生しても基部を井戸ケーシングに固定することが可能なシングルジェット及びポンプ装置を提供することが可能となる。
【図面の簡単な説明】
【００１４】
【図１】本発明の第１の実施形態に係るポンプ装置の構成を示す断面図。
【図２】同ポンプ装置に用いられるシングルジェットの構成を示す断面図。
【図３】同シングルジェットの構成を示す断面図。
【図４】同シングルジェットの使用の一例を断面で示す説明図。
【発明を実施するための形態】
【００１５】
以下、本発明の一実施の形態に係るシングルジェット１０を用いたポンプ装置１を、図１乃至図４を用いて説明する。  
図１は本発明の一実施の形態に係るポンプ装置１の構成を示す断面図、図２は同ポンプ装置１の要部構成、具体的にはポンプ装置１に用いられるシングルジェット１０の構成であって、図１中ＩＩ−ＩＩ線断面で示す断面図、図３はシングルジェット１０の構成を図１中ＩＩＩ−ＩＩＩ線断面で示す断面図、図４はシングルジェット１０の使用時における一例を断面で示す説明図である。
【００１６】
図１に示すように、ポンプ装置１は、例えば、井戸１００に配置され、少なくともその一部が井戸１００内の井戸水１０１の水面下に位置する深井戸用のポンプ装置である。なお、井戸１００は、地面等に、樹脂材料等により形成された井戸ケーシングが配置されることで設けられる。井戸１００は、重力方向に沿って延設される。以下、井戸１００を井戸ケーシング１００として説明する。
【００１７】
ポンプ装置１は、ポンプ部５と、ポンプ部５に接続された吸込管６と、ポンプ部５に接続された吐出管７と、吸込管６に接続されたシングルジェット１０と、を備えている。
【００１８】
ポンプ部５は、例えば、ケーシングと、ケーシング内に設けられた、吸込管６及び吐出管７が接続されたポンプと、ケーシング内に設けられたポンプを駆動するモータと、モータを制御する制御装置と、を備えている。ポンプ部５は、例えば、地上に敷設される。
【００１９】
吸込管６は、ポンプ部５及びシングルジェット１０を流体的に接続可能に形成されている。吐出管７は、ポンプ部５と、ポンプ部５に接続された、例えば、水道蛇口等の供給先とを接続可能に形成されている。
【００２０】
シングルジェット１０は、基部１１と、ジェット部１２と、水封部１３と、を備えている。基部１１は、円筒状の本体部２１と、本体部２１の外周面に設けられた４つの固定部材２２と、本体部２１内に設けられた逆止弁２３と、を備えている。
【００２１】
本体部２１は、例えば、その内周面に雌ねじ部（ねじ部）２１ａが形成される。本体部２１は、その外周面に、固定部材２２を固定可能に形成される。
【００２２】
固定部材２２は、図１に示すように、板状に形成され、一部が突起するように曲折して形成されている。固定部材２２は、本体部２１に固定されたときであって、且つ、基部１１が井戸ケーシング１００内に挿入されたときに、その一部が井戸ケーシング１００の内周面と接触可能、さらに言えば、接触し、当該接触により弾性変形可能に形成されている。
【００２３】
また、固定部材２２は、本体部２１の外周部に、隣り合う固定部材２２の一方が他方よりも近接するように、異なる二つの間隔で配置される。具体的には、図２に示すように、固定部材２２は、二点鎖線で示すように、平面視で長方形状となるように配置される。換言すると、固定部材２２は、近接して隣接する一対の固定部材２２が２組、本体部２１の軸心を中心として対象位置に設けられるとともに、これら２組の一対の固定部材２２間は、近接して隣接する一対の固定部材２２間の間隔よりも広く形成される。
【００２４】
例えば、４つの固定部材２２は、本体部２１の軸心を中心に、隣り合う固定部材２２間の間隔が、６０度及び１２０度間隔で、６０度、１２０度、６０度及び１２０度間隔となるように、順次本体部２１の外周面に固定される。
【００２５】
逆止弁２３は、本体部２１の端部に設けられ、重力方向に落下する水の流れを規制可能に形成されている。
【００２６】
ジェット部１２は、その一端が吸込管６に接続されるとともに、その他端が基部１１に接続される。ジェット部１２は、本体部２１と接続する端部側の外周面に水封部１３を挿入可能、且つ、水封部１３の端部を支持可能に形成されている。また、ジェット部１２は、本体部２１と接続する端部に、本体部２１の雌ねじ部２１ａと螺合可能な雄ねじ部（被ねじ部）１２ａが形成されている。ジェット部１２は、その雄ねじ部１２ａと本体部２１の雌ねじ部２１ａとを螺合することで、本体部２１に対して移動可能に形成されている。
【００２７】
水封部１３は、弾性変形可能な樹脂材料によって円環状又は円筒状に形成された、シール部材である。水封部１３は、ジェット部１２の一部に挿入されることで、基部１１及びジェット部１２間に介在される。水封部１３は、ジェット部１２が本体部２１に螺合し、基部１１に向かって移動することにより圧縮され、その外周面が井戸ケーシング１００の内周面に密着可能に形成されている。水封部１３は、井戸ケーシング１００の内周面と密着することで、その上下を液密に区画する。
【００２８】
このように構成されたポンプ装置１の井戸ケーシング１００への据え付け方法について説明する。  
まず、水封部１３を介在させて、ジェット部１２を基部１１の本体部２１に螺合させ、シングルジェット１０を一体とする。なお、このとき、ジェット部１２の本体部２１への挿入量は、水封部１３を圧縮しない量とする。
【００２９】
次に、ジェット部１２を吸込管６に固定して、流体的に接続する。なお、このとき、吸込管６は、ポンプ部５と接続させず、重力方向に延設する部位のみを、ジェット部１２と接続させる。
【００３０】
次に、シングルジェット１０を井戸ケーシング１００に挿入する。このとき、基部１１の固定部材２２が井戸ケーシング１００の内面と接触することから、基部１１は、井戸ケーシング１００に嵌入される。
【００３１】
次に、シングルジェット１０を、井戸ケーシング１００内の所定の高さ位置に配置後、ジェット部１２を、基部１１に近接する方向に回転させる。このとき、基部１１は、固定部材２２によって井戸ケーシング１００内に固定されている。このため、ジェット部１２を回転させることで、ジェット部１２が基部１１に近接し、結果、基部１１及びジェット部１２により水封部１３が圧縮される。水封部１３は、その軸方向に圧縮することで径方向に突出するように弾性変形し、その外周面の一部が、井戸ケーシング１００の内周面に周方向に沿って密着する。水封部１３が井戸ケーシング１００に密着することにより、井戸ケーシング１００が密封されるとともに、水封部１３及び固定部材２２により本体部２１が井戸ケーシング１００に保持されることで、シングルジェット１０が井戸ケーシング１００に固定される。
【００３２】
次に、ポンプ部５に吐出管７及び吸込管６を接続する。これらの工程により、ポンプ装置１が井戸１００に据え付けられる。なお、井戸１００からポンプ装置１を取り外す場合には、これらの工程を逆の手順で行えばよい。
【００３３】
次に、このように構成されたシングルジェット１０の使用の一例、具体的には、シングルジェット１０の据え付け時における、固定部材２２による本体部２１の固定、及び、固定部材２２の一つが塑性変形等により、所定の形状から変形した場合の、基部１１の固定について、以下、図２乃至図４を用いて説明する。
【００３４】
まず、図２に示すように、正常な状態においては、４つの固定部材２２は、井戸ケーシング１００内に接触することで、それぞれが所定の量だけで弾性変形する。このため、４つの固定部材２２は、その弾性力（復元力）により、基部１１を井戸ケーシング１００に固定する。
【００３５】
次に、図３に示すように、４つの固定部材２２のいずれか一の機能が低下した状態、換言すると、固定部材２２のいずれか一が井戸ケーシング１００に接触しない、又は、接触しても所定の弾性力を生じない状態を説明する。ここで、固定部材２２の機能とは、井戸ケーシング１００に接触し、所定の弾性力を生じさせることで、本体部２１（基部１１）を井戸ケーシング１００に固定する機能である。
【００３６】
このような固定部材２２の機能の低下は、経年劣化による機械的性質の低下、製造時若しくは本体部２１への取り付け時の異常、又は、シングルジェット１０の井戸ケーシング１００への挿入時に過度な負荷の印可による塑性変形等によって生じる。
【００３７】
図３に示すように、４つの固定部材２２のいずれか一の機能が低下しても、本体部２１は、二点鎖線で示すように、内角が３０度、６０度及び９０度からなる直角三角形の位置関係となる。３つの固定部材２２がこのような位置関係となることで、３０度の内角に位置する固定部材２２、換言すると、機能が低下した固定部材２２に隣接する固定部材２２は、４つの固定部材２２が正常なときよりも大きな変形量で弾性変形し、基部１１を井戸ケーシング１００に固定する機能が増加する。
【００３８】
より具体的に説明すると、正常な状態においては、固定部材２２は、一対の固定部材２２が対抗して一組、長方形状となる位置関係で配置される。このため、それぞれ対抗する一対の固定部材２２同士は、その変形量が略同一となり、結果、一対の固定部材２２のそれぞれの弾性力は略同一となる。
【００３９】
しかし、固定部材２２の一つの機能が低下すると、井戸ケーシング１００は、一対の固定部材２２及び当該一対の固定部材２２に対向する一の固定部材２２により保持される。このため、正常な一の固定部材２２の弾性力が正常な一対の固定部材２２の弾性力と釣り合うように、一の固定部材２２は、一対の固定部材２２に押圧されて、一対の固定部材２２よりもその変形量が増加する。これにより、正常な一の固定部材２２の弾性力が増加し、結果、正常な一の固定部材２２、換言すると機能が低下した固定部材２２に隣接する固定部材２２は、基部１１を固定する機能が増加することとなる。
【００４０】
また、基部１１は、図４に示すように、正常な一の固定部材２２の変形量が増加することで、本体部２１が正常な一の固定部材２２側に移動し、結果、隣接する異常が生じた一の固定部材２２は井戸ケーシング１００の内周面に近接する方向に移動する。例えば、異常が生じた一の固定部材２２が若干の潰れ等による異常である場合には、当該異常が生じた一の固定部材２２は、本体部２１の移動によって井戸ケーシング１００に接触し、結果、異常が生じた一の固定部材２２の機能を回復することも可能となる。
【００４１】
このように、基部１１は、４つの固定部材２２が異なる二つの間隔を有して順次配置されることで、固定部材２２のいずれか一の機能が低下しても、本体部２１の保持が維持される。結果、固定部材２２のいずれか一の機能が低下しても、他の３つの固定部材２２により、本体部２１（基部１１）を井戸ケーシング１００に固定することが可能となる。また、固定部材２２のいずれか一の機能が低下すると、当該機能低下した異常が生じた固定部材２２に隣接する固定部材２２側に移動する、所謂調芯動作が本体部２１に生じ、異常が生じた固定部材２２の機能の回復を行うことも可能となる。
【００４２】
このように構成されたポンプ装置１によれば、４つの固定部材２２を、断面視で長方形状となるように本体部２１の外周面に配置することで、固定部材２２のいずれか一が、井戸ケーシング１００に対して本体部２１を保持する機能が低下しても、固定部材２２により、基部１１を井戸ケーシング１００に固定することが可能となる。これにより、シングルジェット１０の据え付け作業時において、ジェット部１２を回転させたときに、基部１１も併せて回転する、所謂基部１１の空回りを防止し、シングルジェット１０の据え付け作業を確実に行うことが可能となる。このため、シングルジェット１０の据え付け作業における作業性の向上となる。
【００４３】
上述したように、本発明の一実施形態に係るシングルジェット１０を用いたポンプ装置１によれば、４つの固定部材２２を、断面視で長方形状となるように本体部２１の外周面に配置することで、固定部材２２のいずれか一に、その機能が低下する異常が発生しても、固定部材２２により基部１１を井戸ケーシング１００に固定することが可能となる。
【００４４】
なお、本発明は前記実施の形態に限定されるものではない。例えば、ポンプ装置１に用いられるポンプ部５の構成は、適宜設定可能である。例えば、ポンプ部５は、複数のモータ及びポンプを有する構成であってもよい。
【００４５】
また、上述した例では、固定部材２２は、板状に形成され、一部が突起するように曲折して形成される構成を説明したが、これに限定されず、また詳細は適宜設定可能である。即ち、固定部材２２は、基部１１が井戸ケーシング１００に挿入されたときに、井戸ケーシング１００と干渉することで本体部２１を所定の弾性力で固定可能な構成であって、４つが異なる２つの間隔で配置される構成であれば、適宜設定可能である。
【００４６】
さらに、上述した例では、ねじ部及び被ねじ部として、本体部２１に雌ねじ部２１ａを設け、ジェット部１２に雄ねじ部１２ａを設ける構成を説明したが、これに限定されず、本体部２１に雄ねじ部を、ジェット部１２に雌ねじ部を設ける構成であってもよい。この他、本発明の要旨を逸脱しない範囲で種々変形実施可能である。
【符号の説明】
【００４７】
１…ポンプ装置、５…ポンプ部、６…吸込管、７…吐出管、１０…シングルジェット、１１…基部、１２…ジェット部、１２ａ…雄ねじ部（被ねじ部）、１３…水封部、２１…本体部、２１ａ…雌ねじ部（ねじ部）、２２…固定部材、２３…逆止弁、１００…井戸ケーシング（井戸）、１０１…井戸水。
【図１】
2015068322.tif 000003
【図２】
2015068322.tif 000004
【図３】
2015068322.tif 000005
【図４】
2015068322.tif 000006